【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
光学的撮像システムのオブジェクト空間において、光学的撮像システムの瞳と、前記光学的撮像システムのセンサの少なくとも１つのピクセルの共役とを通る光線のセットにより占められるボリュームを表すデータを生成する、コンピュータにより実施される方法であって、前記光線のセットにより占められるボリュームはピクセルビームと呼ばれ、前記方法は、
光線の集まりを取得することであって、前記集まりの各光線はピクセルビームを表し、少なくとも第１のパラメータが前記ピクセルの共役を確定する、ことと、
前記ピクセルビームを表す光線の、複数の基準面との交点を確定する交点データを取得することであって、前記基準面は互いに平行であり、前記オブジェクト空間における異なる深度に対応する、ことと、
２次元光線図において前記交点データの図式的表現を規定する光線図パラメータを取得することと、
前記光線図パラメータを、ピクセルの共役を確定する前記少なくとも１つのパラメータと関連付け、前記ピクセルビームを表すデータを提供することとを含む、
方法。
【請求項２】
前記ピクセルの共役を確定する第１のパラメータの第１の値と第２の値との差分を符号化することであって、前記差分は前記光線図パラメータに関連付けられ、前記ピクセルビームを表すデータを提供する、ことをさらに含む、
請求項１に記載の方法。
【請求項３】
前記ピクセルビームを表す光線に対応する交点データは、光線図においてデータラインとして図式的に表現され、前記光線図パラメータは、
データラインの傾斜、及び
データラインの、前記光線図の軸との切片
のうち少なくとも１つを表すデータを含む、
請求項２に記載の方法。
【請求項４】
前記データラインは、ラドン変換を適用することにより、前記２次元光線図において検出される、
請求項３に記載の方法。
【請求項５】
前記図式的表現はデジタルデータラインを提供するセルのマトリックスとして提供され、各デジタルデータラインフォーマットは、前記データラインの軸との交点を表す少なくとも１つの第１のセルと、前記データラインの傾斜を決定する少なくとも１つの第２のセルとである複数のセルにより確定される、
請求項３または４に記載の方法。
【請求項６】
各デジタルデータラインはＢｒｅｓｅｎｈａｍアルゴリズムの適用により生成される、  請求項５に記載の方法。
【請求項７】
前記ピクセルビームを表すデータは、さらに、前記ピクセルビームを表す対応する光線の色を表す色データを含む、
請求項１ないし６いずれか一項に記載の方法。
【請求項８】
前記ピクセルビームを表すデータはメタデータとして提供され、前記メタデータのヘッダは、２次元光線図における交点データの図式的表現を確定する光線図パラメータを含み、前記メタデータのボディは、光線の色を表すデータと、前記オブジェクト空間におけるピクセルの共役の位置とサイズを確定するパラメータとを含む、
請求項７に記載の方法。
【請求項９】
光学的撮像システムのオブジェクト空間において、光学的撮像システムの瞳と、前記光学的撮像システムのセンサの少なくとも１つのピクセルの共役とを通る光線のセットにより占められるボリュームを表すデータを生成するデバイスであって、前記光線のセットにより占められるボリュームはピクセルビームと呼ばれ、前記デバイスはプロセッサを有し、該プロセッサは、
光線の集まりを取得し、前記集まりの各光線はピクセルビームを表し、少なくとも第１のパラメータが前記ピクセルの共役を確定し、
前記ピクセルビームを表す光線の、複数の基準面との交点を確定する交点データを取得し、前記基準面は互いに平行であり、前記オブジェクト空間における異なる深度に対応し、
２次元光線図において前記交点データの図式的表現を規定する光線図パラメータを取得し、
前記光線図パラメータを、ピクセルの共役を確定する前記少なくとも１つのパラメータと関連付け、前記ピクセルビームを表すデータを提供する、
デバイス。
【請求項１０】
前記プロセッサは、さらに、
前記ピクセルの共役を確定する第１のパラメータの第１の値と第２の値との差分を符号化し、前記差分は前記光線図パラメータに関連付けられ、前記ピクセルビームを表すデータを提供する、
請求項９に記載のデバイス。
【請求項１１】
規則的な格子構造で構成されたマイクロレンズアレイと、
前記マイクロレンズアレイから投影された光をキャプチャするように構成されたフォトセンサであって、複数のピクセルのセットを有し、各ピクセルセットは前記マイクロレンズアレイのそれぞれのマイクロレンズに光学的に関連付けられている、フォトセンサと、
請求項９に記載のメタデータを提供するデバイスとを有する、
ライトフィールドイメージングデバイス。
【請求項１２】
請求項１ないし８いずれか一項に記載の方法により取得されたライトフィールドデータから画像をレンダリングするデバイス。
【請求項１３】
光学的撮像システムのオブジェクト空間において、光学的撮像システムの瞳と、前記光学的撮像システムのセンサの少なくとも１つのピクセルの共役とを通る光線のセットにより占められるボリュームを表すデータを含むデジタルファイルであって、前記光線のセットにより占められるボリュームはピクセルビームと呼ばれ、前記データは、
ピクセルビームを表す光線の交点データの２次元光線図における図式的表現を確定する光線図パラメータであって、前記交点データは前記ピクセルビームを表すライトフィールド光線の、複数の基準面との交点を確定し、前記基準面は互いに平行であり、前記オブジェクト空間における異なる深度に対応する、光線図パラメータと、
前記ピクセルビームを表すライトフィールド光線の色を確定する色データと、
前記光学的撮像システムのオブジェクト空間におけるピクセルの共役の位置とサイズを確定するパラメータとを含む、
デジタルファイル。
【請求項１４】
請求項１ないし８いずれか一項に記載の方法により得られた、請求項１３に記載のデジタルファイル。
【請求項１５】
プログラマブル装置のコンピュータプログラムであって、前記プログラマブル装置にロードされ実行されたとき、請求項１ないし８いずれか一項に記載の方法を実施する命令シーケンスを含む、コンピュータプログラム。
【手続補正２】
【補正対象書類名】明細書
【補正対象項目名】０１３６
【補正方法】変更
【補正の内容】
【０１３６】
当業者は、前記の例示的な実施形態を参照すれば、さらに別の多数の修正や変更に想到
するだろう。実施形態は、本発明の範囲を限定することを意図したものではなく、単に例
示的なものである。本発明の範囲は、添付の請求項のみにより決まる。特に、適切であれ
ば、異なる実施形態の異なる特徴を交換し得る。
上述の実施形態の一部又は全部は、以下の付記のように記載され得るが、以下には限定されない。
（付記１）
光学的撮像システムのオブジェクト空間において、光学的撮像システムの瞳と、光学的撮像システムのセンサの少なくとも１つのピクセルの共役とを通る光線のセットにより占められるボリュームを表すデータを生成する、コンピュータにより実施される方法であって、光線のセットにより占められるボリュームはピクセルビームと呼ばれ、方法は、
光線の集まりを取得するステップであって、集まりの各光線はピクセルビームを表し、少なくとも第１のパラメータがピクセルの共役を確定する、ステップと、
ピクセルビームを表す光線の、複数の基準面との交点を確定する交点データを取得するステップであって、基準面は互いに平行であり、オブジェクト空間における異なる深度に対応する、ステップと、
２次元光線図において交点データの図式的表現を規定する光線図パラメータを取得するステップと、
光線図パラメータを、ピクセルの共役を確定する少なくとも１つのパラメータと関連付け、ピクセルビームを表すデータを提供するステップとを含む、
方法。
（付記２）
ピクセルの共役を確定する第１のパラメータの第１の値と第２の値との差分を符号化するステップであって、差分は光線図パラメータに関連付けられ、ピクセルビームを表すデータを提供する、ステップをさらに含む、
付記１に記載の方法。
（付記３）
ピクセルビームを表す光線に対応する交点データは、光線図においてデータラインとして図式的に表現され、光線図パラメータは、
データラインの傾斜、及び
データラインの、前記光線図の軸との切片
のうち少なくとも１つを表すデータを含む、
付記２に記載の方法。
（付記４）
データラインは、ラドン変換を適用することにより、２次元光線図において検出される、
付記３に記載の方法。
（付記５）
図式的表現はデジタルデータラインを提供するセルのマトリックスとして提供され、各デジタルデータラインフォーマットは、データラインの軸との交点を表す少なくとも１つの第１のセルと、データラインの傾斜を決定する少なくとも１つの第２のセルとである複数のセルにより確定される、
付記３または４に記載の方法。
（付記６）
各デジタルデータラインはＢｒｅｓｅｎｈａｍアルゴリズムの適用により生成される、  付記５に記載の方法。
（付記７）
ピクセルビームを表すデータは、さらに、ピクセルビームを表す対応する光線の色を表す色データを含む、
付記１ないし６いずれか一項に記載の方法。
（付記８）
ピクセルビームを表すデータはメタデータとして提供され、メタデータのヘッダは、２次元光線図における交点データの図式的表現を確定する光線図パラメータを含み、メタデータのボディは、光線の色を表すデータと、オブジェクト空間におけるピクセルの共役の位置とサイズを確定するパラメータとを含む、
付記７に記載の方法。
（付記９）
光学的撮像システムのオブジェクト空間において、光学的撮像システムの瞳と、光学的撮像システムのセンサの少なくとも１つのピクセルの共役とを通る光線のセットにより占められるボリュームを表すデータを生成するデバイスであって、光線のセットにより占められるボリュームはピクセルビームと呼ばれ、デバイスはプロセッサを有し、プロセッサは、
光線の集まりを取得し、集まりの各光線はピクセルビームを表し、少なくとも第１のパラメータがピクセルの共役を確定し、
ピクセルビームを表す光線の、複数の基準面との交点を確定する交点データを取得し、基準面は互いに平行であり、オブジェクト空間における異なる深度に対応し、
２次元光線図において交点データの図式的表現を規定する光線図パラメータを取得し、
光線図パラメータを、ピクセルの共役を確定する少なくとも１つのパラメータと関連付け、ピクセルビームを表すデータを提供する、
デバイス。
（付記１０）
プロセッサは、さらに、
ピクセルの共役を確定する第１のパラメータの第１の値と第２の値との差分を符号化し、差分は光線図パラメータに関連付けられ、ピクセルビームを表すデータを提供する、
付記９に記載のデバイス。
（付記１１）
規則的な格子構造で構成されたマイクロレンズアレイと、
マイクロレンズアレイから投影された光をキャプチャするように構成されたフォトセンサであって、複数のピクセルのセットを有し、各ピクセルセットはマイクロレンズアレイのそれぞれのマイクロレンズに光学的に関連付けられている、フォトセンサと、
付記９に記載のメタデータを提供するデバイスとを有する、
ライトフィールドイメージングデバイス。
（付記１２）
付記１ないし８いずれか一項に記載の方法により取得されたライトフィールドデータから画像をレンダリングするデバイス。
（付記１３）
光学的撮像システムのオブジェクト空間において、光学的撮像システムの瞳と、光学的撮像システムのセンサの少なくとも１つのピクセルの共役とを通る光線のセットにより占められるボリュームを表すデータを含むデジタルファイルであって、光線のセットにより占められるボリュームはピクセルビームと呼ばれ、データは、
ピクセルビームを表す光線の交点データの２次元光線図における図式的表現を確定する光線図パラメータであって、交点データはピクセルビームを表すライトフィールド光線の、複数の基準面との交点を確定し、基準面は互いに平行であり、オブジェクト空間における異なる深度に対応する、光線図パラメータと、
ピクセルビームを表すライトフィールド光線の色を確定する色データと、
光学的撮像システムのオブジェクト空間におけるピクセルの共役の位置とサイズを確定するパラメータとを含む、
デジタルファイル。
（付記１４）
付記１ないし８いずれか一項に記載の方法により得られた、付記１３に記載のデジタルファイル。
（付記１５）
プログラマブル装置のコンピュータプログラムであって、プログラマブル装置にロードされ実行されたとき、付記１ないし８いずれか一項に記載の方法を実施する命令シーケンスを含む、コンピュータプログラム。